(57)【要約】      （修正有）【課題】トイレや浴室等に設置し、手摺りが垂直状態から水平状態に回動する、高齢者や身体障害者等の補助具。【解決手段】手摺り部材１の端部に手摺り保持部材２を連結し、手摺り保持部材に支持軸を設け、支持軸の両端を壁面に取り付けられた取付具の支持板間に回動可能に支持し、手摺り部材が、垂直状態から水平状態まで回動可能な可動式手摺りにおいて、手摺り部材と手摺り保持部材の重量比により、支持軸を支点として回動する回転力が相殺され、手摺り部材の回動時の負荷を軽減し、手摺り部材の水平状態から垂直状態まで、および垂直状態から水平状態までの回動操作が、僅かな力で容易に行える。また、手摺り部材を水平状態、または垂直状態に維持するために、手摺り保持部材に手摺り部材の回動を阻止する係止手段を設け、手摺り部材の急激な落下を抑制するために、支持軸と手摺り保持部材の間に、手摺り部材の回動を抑制するための、制動機構を設ける。【選択図】図１
2011106250.tif 000002
【特許請求の範囲】
【請求項１】
手摺り部材の端部に手摺り保持部材を連結し、手摺り保持部材に支持軸を設け、支持軸の両端を壁面に取り付けられた取付具の支持板間に回動可能に支持し、支持軸を支点に手摺り部材が、垂直状態から水平状態まで回動可能な可動式手摺りにおいて、手摺り部材と手摺り保持部材の重量比により、支持軸を支点として回動する回転力が相殺され、支持軸を支点とした手摺り部材の回動時の負荷を軽減し、手摺り部材の水平状態から垂直状態まで、および垂直状態から水平状態までの回動操作が、僅かな力で容易に行えることを特徴とする可動式手摺り。
【請求項２】
前記可動式手摺りにおいて、手摺り部材を垂直状態から水平状態、または水平状態から垂直状態へ回動した後、手摺り部材を水平状態、または垂直状態に維持するために、手摺り保持部材に手摺り部材の回動を阻止する、係止手段を設けた請求項１記載の可動式手摺り。
【請求項３】
前記可動式手摺りにおいて、手摺り部材を垂直状態から水平状態まで回動する際に、手摺り部材の急激な落下を抑制するために、支持軸と手摺り保持部材の間に、手摺り部材の回動を抑制するための、制動機構を設けた請求項２記載の可動式手摺り。
【発明の詳細な説明】
【技術分野】
【０００１】  本発明は、医療，福祉施設、および一般住宅等のトイレや浴室等に設置され、手摺りが垂直状態から水平状態に回動して、高齢者や身体障害者等の補助具として利用される可動式手摺りに関するものである。
【背景技術】
【０００２】  従来から、高齢者や身体障害者がトイレや浴室を利用するために、補助具として手摺りが設置されている。手摺りには固定式と可動式とがあるが、固定式の場合、移動時には手摺りが障害となり、またスペース的にも問題があった。そのため、最近では可動式のものが多く設置され、不使用時には壁面等へ退避させ、使用時には水平状態にして使用者を補助する手摺りが提供されている。【０００３】  可動式手摺りには、手摺りを水平方向に回動させるタイプと、手摺りを上下方向に回動させるタイプとがあるが、水平方向に回動させるタイプは回動操作が容易であるが、周辺のスペースが必要となる問題がある。また上下方向に回動させるタイプは上方の空間を活用でき省スペースであるが、手摺りが垂直状態となる位置まで持ち上げる力が必要となり、また垂直状態から水平状態への手摺りの自重による降下が危険となるという難点を有している。しかしながら、水平方向に回動させるタイプを設備するためのスペースが不足しているトイレや浴室には、上下方向に回動させるタイプが適していることから、前記の操作上の問題を改善するために、手摺りの回動速度を制動できる可動式手摺りがある。（特許文献１参照）。
【先行技術文献】
【特許文献】
【０００４】  特開平９−２０９５３５号公報
【発明の概要】
【発明が解決しようとする課題】
【０００５】  手摺りの回動速度を制動できる可動式手摺りにおいては、手摺りの垂直状態から水平状態までの回動を、制動機構により緩やかに降下させることができ、手摺りの自重により不意に降下することなく、使用時の安全性が確保できるという効果があるが、水平状態から垂直状態まで持ち上げるときには、制動機構の抵抗に手摺りの自重が加わり、使用後に手摺りを垂直状態まで持ち上げる際に大きな力が必要となっていた。【０００６】  本発明は、前記の制動機構付き可動手摺りの持ち上げ時の問題点を改善することを目的としてなされたものであつて、手摺りの使用時に垂直状態から水平状態まで緩やかに降下させることができ、また手摺りの使用後には水平状態から垂直状態までの持ち上げる力を軽減することができる可動式手すりを提供するものである。
【課題を解決するための手段】
【０００７】  手摺り部材の端部に手摺り保持部材を連結し、手摺り保持部材に支持軸を設け、支持軸の両端を壁面に取り付けられた取付具の支持板間に回動可能に支持し、支持軸を支点に手摺り部材が、垂直状態から水平状態まで回動可能な可動式手摺りにおいて、手摺り部材と手摺り保持部材の重量比により、支持軸を支点として回動する回転力が相殺され、支持軸を支点とした手摺り部材の回動時の負荷を軽減し、手摺り部材の水平状態から垂直状態まで、および垂直状態から水平状態までの回動操作が、僅かな力で容易に行える。【０００８】  また、手摺り部材を垂直状態から水平状態、または水平状態から垂直状態へ回動した後、手摺り部材を水平状態、または垂直状態に維持するために、手摺り保持部材に手摺り部材の回動を阻止する係止手段を設け、手摺り部材を垂直状態から水平状態まで回動する際に、手摺り部材の急激な落下を抑制するために、支持軸と手摺り保持部材の間に、手摺り部材の回動を抑制するための、制動機構を設けることが好ましい。
【発明の効果】
【０００９】  上述の様に、本発明の可動式手摺りは、手摺り部材の重量に対して、保持部材の重量を同重量に近づけることにより、支持軸を支点とした回動操作で手摺り部材を持ち上げる場合、従来の可動式手摺りでは手摺り部材の重量が負荷として掛るが、本発明の可動式手摺りは、手摺り部材の重量と保持部材の重量が相殺され、手摺り部材と保持部材の重量差のみが負荷として掛るため、非常に軽く持ち上げることができる。【００１０】  また、従来の可動式手摺りでは手摺り部材の重量による負荷を軽減するために、スプリング等を設けて持ち上げる際の力を補っているものもあるが、部品点数の増加によるコストアップに加え、手摺り部材の回動時には、スプリングが伸縮するためスプリングだけの機構では、一定の力で手摺り部材を持ち上げる力を補助することは難しい。【０００１１】  本発明の可動式手摺りは、手摺り部材と保持部材の重量バランスのみで負荷を軽減しているため、手摺り部材の回動時には、重量差による一定の力で持ち上げる力ができ、かつスプリング等を設けることなく、低コストでの製作が可能となる。
【図面の簡単な説明】
【００１２】
【図１】本発明の可動式手摺りの全体図。
【図２】本発明の可動式手摺りの部分断面図。
【図３】本発明の可動式手摺りの部分断面図。
【図４】手摺り部材と保持部材の重量バランス図。
【図５】可動式手摺りの制動機構の作動状態図。
【図６】可動式手摺りの係止手段の部分図。
【図７】可動式手摺りが水平に係止された状態図。
【図８】可動式手摺りが垂直に係止された状態図。
【図９】手摺り部材の異なる形状図。
【図１０】異なる形状の手摺り部材が水平に係止された状態図。
【図１１】異なる形状の手摺り部材が垂直に係止された状態図。
【発明を実施するための形態】
【００１３】  図１は本発明の可動式手摺りの全体図、図２は図３のＢ−Ｂ’断面図。図３は図２のＡ−Ａ’断面図で、図３のようにＵ字状の手摺り部材１を保持するための半円状の手摺り保持部材２に、２箇所の突起部３と、突起部３の内側にＵ字状の手摺り部材１のＵ字端部を取り付けるための取付穴４を設け、取付穴４にＵ字状の手摺り部材１のＵ字端部を勘合し、それぞれのＵ字端部を取り付けネジ５で固定する。
【００１４】  手摺り部材１の外周は弾力性のあるクッション６でコーティングすることにより、操作が不自由な人に対しての安全性を高めると共に、冬場などの低温下でも使用者が支障なく操作できるようにする。
【００１５】  図２のように手摺り保持部材２の半円形の中心に支持穴７を設け、支持穴７に支持軸８を挿入し、手摺り保持部材２と支持軸８は固定ネジ９で固定して手摺り保持部材２と支持軸８を一体化する。可動式手摺りを壁面１０に取り付けるための取付板１１と、支持軸８を取り付けるための支持板１２とからなる取付具１３を、可動式手摺りを設置する壁面１０に取付け、前記支持軸８の両端を支持板１２間に回動可能に支持し、前記取付具１３に前記各部品を覆うようにカバー１４取り付ける。
【００１６】  前記支持板１２と手摺り保持部材２の両側の隙間には、手摺り保持部材２が回動する際の摺動抵抗の軽減、および焼き付き、キシミ音の発生防止のために異材質の座金１５を入れ、支持軸８の両端は支持板１２から支持８軸が抜けないように止め輪１６にて固定する。
【００１７】  図４は手摺り部材１と手摺り保持部材２が、支持軸８を支点として回動する際の回転バランスを表す図で、手摺り部材１側には、支点１７から重心位置（Ｃ）までの長さ（Ｌ１）とＵ字状手摺り部材１の重量の積が、反時計回りの回転モーメントとして発生し、手摺り保持部材２側には、支点１７から重心位置（Ｄ）までの長さ（Ｌ２）と手摺り保持部材２の重量の積が、時計回りの回転モーメントとして発生する。
【００１８】  手摺り部材１の操作時に回動負荷を軽減するためには、前記の手摺り部材１の反時計回りの回転モーメントと、手摺り保持部材２側の時計回りの回転モーメントを相殺する必要があるが、可動式手摺りの構成上、手摺り部材１は支点１７からの長さが長く、手摺り保持部材２は支点からの長さが短かいため、手摺り保持部材２に対して手摺り部材１の体積が大きくなり、同材質、構造の場合には、手摺り保持部材２に対して手摺り部材１の重量が重くなる。
【００１９】  このため、手摺り部材側１に発生する反時計回りの回転モーメントと、手摺り保持部材２側に発生する時計回りの回転モーメントを相殺するためには、手摺り部材１を中空構造とし、手摺り保持部材２を中実構造にするか、あるいは手摺り部材１を樹脂などの軽量素材にし、手摺り保持部材２を金属などの重量素材にすることにより、手摺り部材１側と手摺り保持部材２側に発生する回転モーメントが相殺され、手摺り部材１の操作時に回動負荷を軽減することができる。
【００２０】  上述のように手摺り部材１と手摺り保持部材２の回転モーメントを相殺することにより、バランスが保たれて、手摺り部材１を僅かな力で持ち上げることが出来るが、操作が不自由な人に対しての安全性を高めるために、手摺り部材１を垂直状態から水平状態まで回動する際に、何らかの要因により矢印のように落下するのを防ぐために、図５のように支持軸８と手摺り保持部材２の間に、手摺り部材１が垂直状態から水平状態への回動する際の回転を抑制するための、ダンパー１８などの制動機構を設けることによりより安全性が保たれる。
【００２１】  図６は手摺り部材１を垂直状態から水平状態、または水平状態から垂直状態へ回動した後、手摺り部材１を水平状態、または垂直状態に保持するために、手摺り保持部材２に手摺り部材１の回動を阻止するための係止手段として、外周にネジ１９を有する筒状部材に有底の中空部２０を設け、内部にスプリング２１とボール２２を配置し、ボール２２が抜け落ちないように中空部２０の口元を縮径したプランジャー２３と呼ばれる部品の図である。
【００２２】  図７のように手摺り保持部材２の円周上に円弧状の開口部２４を設け、開口部２４の上下２カ所に、前記プランジャー２３をプランジャー２３のボール２２先端部が突出するように取り付け、開口部２４に対して直角方向に、両端が支持板１２間に保持された係止ピン２５を取り付ける。係止ピン２５は支持板１２側に固定されており、手摺り保持部材２の回動時には手摺り保持部材２の開口部２４は、係止ピン２５に沿って円弧状に移動する。
【００２３】  可動式手摺りの利用者が手摺り部材１を降ろして水平状態に回動させる際には、手摺り保持部材２が回動し、一方のプランジャー２３のボール２２が係止ピン２５に接触し、スプリング２１にて付勢されているボール２２が圧縮されながら係止ピン２５を乗り越え、プランジャー２３のボール２２は係止ピン２５を付勢した状態で係止するため、手摺り部材１は水平状態で固定される。
【００２４】  同様に可動式手摺りの利用者が、手摺り部材１を持ち上げて垂直状態に回動させる際には、図８のように手摺り保持部材２が回動し、他方のプランジャー２３のボール２２が係止ピン２５に接触し、スプリング２１にて付勢されているボール２２が圧縮されながら係止ピン２５を乗り越え、プランジャー２３のボール２２は係止ピン２５を付勢した状態で係止するため、手摺り部材１は垂直状態で固定される。
【００２５】  図９は前記Ｕ字状の手摺り部材１を、Ｉ字状の１本の手摺り部材１にした場合の実施例で、図１０および図１１はＩ字状の１本の手摺り部材１が水平および垂直に係止された状態を表す図で、Ｕ字状の手摺り部材１と同様の効果を得ることが出来ると共に、構造が簡素化され、コストを低減することが出来る。
【００２６】  なお、前記実施例では、手摺り部材１が垂直状態から水平状態への回動する際の回転を抑制するための制動機構として、ダンパー１８などの制動機構としたが、手摺り部材１を垂直状態から水平状態まで回動する際に、何らかの要因による落下を防止するために、手摺り部材１の回動を抑制できればいかなる方法でもい。
【００２７】  また、前記実施例では、手摺り部材１を垂直状態から水平状態、または水平状態から垂直状態へ回動した後、手摺り部材１を水平状態、または垂直状態に保持するために、手摺り保持部材２に取り付けたプランジャー２３と支持板１２間に保持された係止ピン２５による係止手段としたが、手摺り部材１を水平状態、または垂直状態に保持できればいかなる係止手段でもよい。
【符号の説明】
【００２８】１      手摺り部材
２      手摺り保持部材
３      突起部
４      取付穴
６      クッション
７      支持穴
８      支持軸
９      固定ネジ
１０    壁面
１１    取付板
１２    支持板
１３    取付具
１４    カバー
１７    支点
１８    ダンパー
１９    ネジ
２０    中空部
２１    スプリング
２２    ボール
２４    開口部
２５    係止ピン
【図１】
2011106250.tif 000003
【図２】
2011106250.tif 000004
【図３】
2011106250.tif 000005
【図４】
2011106250.tif 000006
【図５】
2011106250.tif 000007
【図６】
2011106250.tif 000008
【図７】
2011106250.tif 000009
【図８】
2011106250.tif 000010
【図９】
2011106250.tif 000011
【図１０】
2011106250.tif 000012
【図１１】
2011106250.tif 000013